(57)【要約】【課題】ある再生画像における音声および／または字幕の言語の意味が理解できなかった場合、その画像まで戻して再生するとき、字幕に他の言語、例えば音声および／または字幕の言語の意味を示す言語を表示できるようにすることにより、語学の習熟度を高めることができる光ディスク再生装置を提供する。【解決手段】音声および字幕が英語である編集情報を再生しているとき、再生戻し指令を受けると、１フレーム戻し手段２１の制御により、字幕の１フレーム分だけ再生位置が戻され、字幕言語切換手段２２の制御により、字幕が英語から日本語に切換えられる。その後、前記戻された１フレームが日本語の字幕で再生され、この再生が終わると、字幕言語戻し手段２３の制御により、字幕の言語が日本語から英語に戻され、通常通り元の英語の字幕で表示される。【選択図】      図１
2004320322.tif 000002
【特許請求の範囲】
【請求項１】
光ディスクに記録された情報を再生する光ディスク再生装置において、前記光ディスクに記録されている情報が映像と音声と字幕を含む編集情報であり、この編集情報における音声および字幕が第１言語である場合で、この編集情報を再生しているとき、再生戻し指令を受けたとき字幕の１フレーム分だけ再生位置を戻す制御を行う１フレーム戻し手段と、この１フレーム戻し手段の制御により戻された再生位置からの字幕１フレーム分の字幕を第２言語に切換えて表示させる制御を行う字幕言語切換手段と、前記戻された再生位置からの字幕１フレーム分の再生後に字幕を元の第１言語に戻す制御を行う字幕言語戻し手段とを有する字幕制御部を備えたことを特徴とする光ディスク再生装置。
【請求項２】
光ディスクに記録された情報を再生する光ディスク再生装置において、映像と音声と字幕を含む編集情報を再生しているときに、再生戻し指令を受けると、字幕の所定フレーム分だけ再生位置を戻し、このとき字幕の言語を他の言語に切換え、この切換えた他の言語の字幕の所定フレーム分を再生した後、字幕を元の言語に戻すという制御を行う字幕制御部を備えたことを特徴とする光ディスク再生装置。
【請求項３】
前記所定フレームは字幕の１フレームであることを特徴とする請求項２に記載の光ディスク再生装置。
【請求項４】
前記字幕制御部は、音声および字幕が第１言語である編集情報を再生しているとき、再生戻し指令を受けたとき字幕の１フレーム分だけ再生位置を戻す制御を行う１フレーム戻し手段と、この１フレーム戻し手段の制御により戻された再生位置からの字幕１フレーム分の字幕を第２言語に切換えて表示させる制御を行う字幕言語切換手段と、前記戻された再生位置からの字幕１フレーム分の再生後に字幕を元の第１言語に戻す制御を行う字幕言語戻し手段とを有することを特徴とする請求項２に記載の光ディスク再生装置。
【発明の詳細な説明】
【０００１】
【発明の属する技術分野】
本発明は、記録媒体である光ディスクに記録された情報を再生する光ディスク再生装置に関し、特に、再生画像における登場人物の音声の内容を表示する字幕も含む編集情報が記録されたＤＶＤを再生する際の字幕を切換える機能を有する光ディスク再生装置に関する。
【０００２】
【従来の技術】
従来から、例えば、日本人が英語のヒアリングの練習として、再生画像中の登場人物の英語の音声の内容を字幕に表示できるように編集された映画などを記録したＤＶＤビデオが知られている。その字幕は、英語または日本語に選択できることから、ユーザが英語力を身に付ける目的で、英語の字幕で映画などが鑑賞されている。ところで、外国語の習熟度が低いユーザには多数の文章を一度に理解するのは難しいので、少数の文章単位に区切って再生すると共に、必要に応じて同じ文章単位を繰り返し再生することが望まれる。
【０００３】
【特許文献１】
特開２００２−２２９４４１号公報
【０００４】
【発明が解決しようとする課題】
しかしながら、従来の光ディスク再生装置でＤＶＤを再生すると、ユーザが外国語の意味も理解できないまま画像が流れていき、ただ画像を見ているだけの状態になってしまう。そこで、ユーザ自身が自分でタイミングを計って、光ディスク再生装置の停止ボタンスイッチ、再生ボタンスイッチ、戻しボタンスイッチを操作して、意味が理解できなかった画像まで戻そうとするが、この戻し量は正確ではなく、過不足が生じ、使い勝手が劣っていた。
【０００５】
そこで、例えば特許文献１に記載の外国語学習用教材では、１〜２０文章単位に区切った各ブロックを設定し、外国語の意味が理解できなかった画像まで戻す場合、ブロック単位で戻すようにしている。しかしながら、この外国語学習用教材では、例えば、画像中の登場人物が英語で会話し、字幕も英語で表示されている場合、ある画像中の英語の音声および字幕の英語の意味が理解できなかったとき、もう一度、その画像まで戻して再生できるが、字幕には同じ英語が表示されるので、英語の意味を確認できず、このため、語学の習熟度を低下させる傾向にあるという課題が生じる。
【０００６】
本発明は、上記のような課題を解決するためになされたもので、ある再生画像における音声および／または字幕の言語の意味が理解できなかった場合、その画像まで戻して再生するとき、字幕に他の言語、例えば音声および／または字幕の言語の意味を示す言語を表示できるようにすることにより、語学の習熟度を高めることができる光ディスク再生装置を提供することを目的とする。
【０００７】
【課題を解決するための手段】
上記目的を達成するために、請求項１の発明は、光ディスクに記録されている情報が映像と音声と字幕を含む編集情報であり、この編集情報における音声および字幕が第１言語である場合で、この編集情報を再生しているとき、再生戻し指令を受けたとき字幕の１フレーム分だけ再生位置を戻す制御を行う１フレーム戻し手段と、この１フレーム戻し手段の制御により戻された再生位置からの字幕１フレーム分の字幕を第２言語に切換えて表示させる制御を行う字幕言語切換手段と、前記戻された再生位置からの字幕１フレーム分の再生後に字幕を元の第１言語に戻す制御を行う字幕言語戻し手段とを有する字幕制御部を備えたことを特徴とする光ディスク再生装置を提供する。
【０００８】
この構成において、例えば、編集情報における音声および字幕が英語である場合、この編集情報を再生しているとき、ユーザの指示により再生戻し指令を受けると、１フレーム戻し手段の制御により、字幕の１フレーム分だけ再生位置が戻される。そして、字幕言語切換手段の制御により、字幕が英語から日本語に切換えられる。その後、前記戻された１フレームが日本語の字幕で再生され、この再生が終わると、字幕言語戻し手段の制御により、字幕の言語が日本語から英語に戻され、通常通り元の英語の字幕で表示される。
【０００９】
この構成の光ディスク再生装置によれば、ある再生画像における音声および／または字幕の言語の意味が理解できなかった場合、その画像まで戻して再生するとき、字幕に他の言語（前記言語の意味を示す言語）が表示でき、これにより、ユーザは、音声および／または字幕の言語の意味を理解することが可能になり、語学の習熟度を高めることができる。
【００１０】
請求項２の発明は、映像と音声と字幕を含む編集情報を再生しているときに、再生戻し指令を受けると、字幕の所定フレーム分だけ再生位置を戻し、このとき字幕の言語を他の言語に切換え、この切換えた他の言語の字幕の所定フレーム分を再生した後、字幕を元の言語に戻すという制御を行う字幕制御部を備えたことを特徴とする光ディスク再生装置を提供する。
【００１１】
この構成において、例えば、編集情報における音声および字幕が英語である場合、この編集情報を再生しているとき、ユーザの指示により再生戻し指令を受けると、字幕の所定フレーム分だけ再生位置が戻され、字幕が英語から日本語に切換えられ、その後、前記戻された所定フレームが日本語の字幕で再生され、この再生が終わると、字幕の言語が日本語から英語に戻され、通常通り元の英語の字幕で表示される。
【００１２】
この構成の光ディスク再生装置によれば、ある再生画像における音声および／または字幕の言語が理解できなかった場合、その画像まで戻して再生するとき、字幕に他の言語（前記言語の意味を示す言語）が表示でき、これにより、ユーザは、音声および／または字幕の言語の意味を理解することが可能になり、語学の習熟度を高めることができる。
【００１３】
請求項３の発明では、前記所定フレームは字幕の１フレームであるので、ユーザが音声および／または字幕の言語を理解できなかった１フレームの編集情報を直ぐに戻して再生でき、ユーザにとっては語学の習熟度を高めるのに効果的である。
【００１４】
請求項４の発明では、前記字幕制御部は、音声および字幕が第１言語である編集情報を再生しているとき、再生戻し指令を受けたとき字幕の１フレーム分だけ再生位置を戻す制御を行う１フレーム戻し手段と、この１フレーム戻し手段の制御により戻された再生位置からの字幕１フレーム分の字幕を第２言語に切換えて表示させる制御を行う字幕言語切換手段と、前記戻された再生位置からの字幕１フレーム分の再生後に字幕を元の第１言語に戻す制御を行う字幕言語戻し手段とを有するので、ある再生画像における音声および／または字幕の言語の意味が理解できなかった場合、その画像まで戻して再生することができ、このとき、その音声および／または字幕の言語の意味を示す言語が字幕に表示できるようになり、また、字幕１フレーム分の再生後に字幕の言語を元の言語に戻すことができるようになる。
【００１５】
【発明の実施の形態】
以下、添付図面を参照しつつ、本発明の実施の形態について説明する。図１は本発明の一実施形態に係る光ディスク再生装置の構成を示すブロック図である。図１において、この光ディスク再生装置は、光ディスクであるＤＶＤ１に記録された映像と音声と字幕を含む編集情報を再生するためにレーザ光を出射すると共にＤＶＤ１からの反射光を受光する光ピックアップ３と、ＤＶＤ１を回転させるスピンドルモータ２と、このスピンドルモータ２を駆動するスピンドルドライブ回路１９と、光ピックアップ３のトラッキングサーボを行うアクチュエータを駆動するトラッキングドライブ回路１７と、光ピックアップ３のフォーカスサーボを行うアクチュエータを駆動するフォーカスドライブ回路１６と、光ピックアップ３をＤＶＤ１の半径方向に移動させるスレッド４と、このスレッド４を駆動するスレッドドライブ回路１８とを備えている。
【００１６】
また、この光ディスク再生装置は、ＤＶＤ１の再生時にＤＶＤ１からの再生信号（読取信号）を入力して該再生信号よりＲＦ信号を作成して増幅するＲＦアンプ５と、ＶＣＯ（ｖｏｌｔａｇｅ  ｃｏｎｔｒｏｌｌｅｄ  ｏｓｃｉｌｌａｔｏｒ）を含むＰＬＬ（ｐｈａｓｅ  ｌｏｃｋｅｄ  ｌｏｏｐ）８を備えＲＦアンプ５からのＲＦ信号を入力してデータと同期信号を分離するデータ／同期信号分離回路６と、このデータ／同期分離回路６で分離されたデータを入力してデコード化することによりエラーチェックを行いデータに誤りがある場合はエラー訂正を行って正しいデータを出力するデータデコードエラー訂正回路９と、このデータデコードエラー訂正回路９から正しいデータを入力しデコード化してビデオ信号とオーディオ信号を出力するＡＶデコード回路１０とを備えている。
【００１７】
また、このディスク再生装置は、ＲＦアンプ５からのＲＦ信号に含まれＤＶＤ１上のトラックの無いミラー面を示すミラー信号を検出してミラー面をカウントするミラー検出回路７と、光ピックアップ３からの再生信号に含まれるトラッキングエラー信号を検出するトラッキングエラー検出回路１１と、光ピックアップ３からの再生信号に含まれるフォーカスエラー信号を検出するフォーカスエラー検出回路１２と、トラッキングエラー検出回路１１からのトラッキングエラー信号に基づいてトラッククロスを検出してトラックパルスを出力するトラッククロス検出回路１３とを備えている。
【００１８】
また、この光ディスク再生装置は、ＤＶＤ１に記録されている情報が映像と音声と字幕を含む編集情報であり、この編集情報における音声および字幕の言語が第１言語（例えば英語）である場合で、この編集情報を再生しているとき、再生戻し指令を受けたとき字幕の１フレーム分だけ再生位置を戻す制御を行う１フレーム戻し手段２１と、この１フレーム戻し手段２１の制御により戻された再生位置からの字幕１フレーム分の字幕を第２言語（例えば日本語）に切換えて表示させる制御を行う字幕言語切換手段２２と、前記戻された再生位置からの字幕１フレーム分の再生後に字幕を元の第１言語（例えば英語）に戻す制御を行う字幕言語戻し手段２３とを有する字幕制御部２０を備えている。
【００１９】
また、この光ディスク再生装置には、この装置本体の前面などに設けられ装置電源のオン／オフ操作や再生に関する各種操作などを行うための複数のボタンスイッチを有した操作部２５が備えられている。この操作部２５は、リモコン（リモートコントローラ）２４からの操作指令を示す光信号を受信する受光手段（図示せず）を備え、この受光手段により光信号を電気信号に変換してシステムコントローラ１４に指令信号を入力する。リモコン２４は、装置電源のオン／オフ操作や再生に関する各種操作などを行うための複数のボタンスイッチ（図示せず）を有している。特に、この実施形態におけるリモコン２４には、ＤＶＤ１の編集情報を再生しているときに、字幕の１フレーム分だけ戻して再生したい場合に操作する再生戻しボタンスイッチ２４ａが設けられている。なお、このような再生戻しボタンスイッチは、操作部２５にも設けても良い。
【００２０】
また、この光ディスク再生装置は、装置全体の処理を行うＣＰＵ１５に従って上記各構成要素を制御するシステムコントローラ１４を備えている。このシステムコントローラ１４は、光ピックアップ３からの再生信号に含まれるフォーカスエラー信号に基づいて光ピックアップ３のフォーカスサーボのための制御、光ピックアップ３からの再生信号に含まれるトラッキングエラー信号に基づいて光ピックアップ３のトラッキングサーボのための制御、操作部２５やリモコン２４からの再生指示信号に従ってＤＶＤ１の再生位置を決めるためスレッドドライブ回路１８を介してスレッド４を駆動して光ピックアップ３をＤＶＤ１の半径方向に移動させる制御、操作部２５やリモコン２４からの操作信号によりスピンドルドライブ回路１９を介してスピンドルモータ２を回転させる制御、本実施形態の特徴とする字幕制御部２０からの字幕制御信号に従って後述するような字幕に関する制御などを行う。
【００２１】
図２は、本実施形態に用いられるＤＶＤに記録された編集情報を字幕１フレーム分再生する場合の概念的な説明図である。図２に示すように、動画などの映像情報は映像ストリームＡに記録され、この映像ストリームＡに対応する英語の音声は英語音声ストリームａ１に記録され、同じく映像ストリームＡに対応する日本語の音声は日本語音声ストリームａ２に記録される。また、映像ストリームＡに対応する英語字幕は英語字幕ストリームｂ１に記録され、同じく映像ストリームＡに対応する日本語字幕は日本語字幕ストリームｂ２に記録される。したがって、映像ストリームＡの映像に対して、音声および字幕は英語で再生する場合は、英語音声ストリームａ１の英語を読み出してスピーカなどで音声化すると共に、英語字幕ストリームｂ１の英語を読み出して字幕として表示装置に表示する。
【００２２】
図３は、本実施形態における編集情報の記録フォーマットの一例図である。図３に示すように編集情報は、例えば映像３１と音声３２と字幕３３が１フレーム単位で、複数個のフレームが連続してＤＶＤのトラックに記録されている。ここで言う１フレームとは、１画面で表示される字幕分のフレームのことを言う。音声３２，３５には、音声としての例えば英語および日本語が記録されており、字幕３３，３６には、字幕としての例えば英語および日本語が記録されている。
【００２３】
後でも説明するように、字幕１フレーム分だけ再生を戻すということは、例えば映像３４と音声３５と字幕３６の１フレームの再生が終わった後、再び、映像３４と音声３５と字幕３６の１フレームを再生することである。この場合、通常通りの再生では、音声３５は英語であり、字幕３６も英語であれば、１フレーム戻して再生すると、字幕３６は英語に代わり日本語が読み出され、表示される。
【００２４】
次に、図４に示すフローチャートを参照して本実施形態における字幕切換え処理について説明する。ここの説明では、ＤＶＤ１の通常再生では、映像に登場する人物は英語を話し、字幕も英語であるとする。
【００２５】
ユーザがＤＶＤ１をこの光ディスク再生装置にセットした後、リモコン２４を操作して、ＤＶＤ１に対する再生動作を始めると、表示装置（図示せず）には、再生された映像および字幕が表示され、スピーカ（図示せず）からは登場人物の音声が出力される。これにより、ユーザは表示装置に表示された字幕を見ながらスピーカから出力される音声を聴いて英語の学習を行う。
【００２６】
ここで、ユーザが登場人物の英語の音声および字幕の英語の意味が理解できなかったとき、そのフレームをもう一度再生したいため、ユーザはリモコン２４の再生戻しボタンスイッチ２４ａを押下する（ステップＳ１）。これにより、リモコン２４からは再生戻しを示す光信号が出射され、この光信号を受光した操作部２５は、再生戻し信号（再生戻し指令）をシステムコントローラ１４を介して字幕制御部２０に入力する。
【００２７】
字幕制御部２０においては、１フレーム戻し手段２１は字幕の１フレーム分だけ再生位置を戻す制御を行う。これに応答してシステムコントローラ１４は、光ピックアップ３を前記再生位置に戻し、これにより、再生が字幕１フレーム分戻ることになる（ステップＳ２）。
【００２８】
次に、字幕言語切換手段２２は、字幕が英語であるか日本語であるかを判断し（ステップＳ３）、字幕が英語であれば日本語に切換え（ステップＳ４）、字幕が日本語であれば英語に切換える（ステップＳ５）。ここの説明では、通常再生では字幕が英語であるので、字幕言語切換手段２２は、字幕を英語から日本語に切換える制御を行う（ステップＳ４）。
【００２９】
これにより、システムコントローラ１４は、ＤＶＤ１上の１フレームの日本語の字幕を読み出すように再生を制御する。この結果、戻された１フレームを再生すると字幕は日本語になり、この１フレームにおける英語の音声および字幕（戻す前の字幕）の英語の意味をユーザは確認することができる。したがって、ユーザの英語の習熟度が向上する。
【００３０】
その後、字幕言語戻し手段２３は、戻し再生した字幕１フレーム分の再生は終えたか否かを判断し（ステップＳ６）、再生が終えた場合、このときの字幕が英語であるか日本語であるかを判断する（ステップＳ７）。字幕が英語であれば字幕を元の日本語に戻す制御を行い（ステップＳ８）、字幕が日本語であれば字幕を元の英語に戻す制御を行う（ステップＳ９）。ここの説明では、戻し再生した字幕１フレーム分の再生終了時は、字幕が日本語になっているので、字幕を元の英語に戻されることになる（ステップＳ９）。
【００３１】
字幕が元の英語に戻された後は、通常通りの再生が行われる。その後、ユーザが、再びリモコン２４の再生戻しボタンスイッチ２４ａを押下すると、ステップＳ１からの処理が同様になされる。
【００３２】
なお、上記実施形態では、音声および字幕が英語であり、字幕を日本語に切換える例について説明したが、それに限らず、音声および字幕が日本語であり、字幕を英語に切換えるようにしても良い。また、音声が英語で、字幕が日本語であり、字幕を英語に切換えるようにしても良い。また、音声が日本語で、字幕が英語であり、字幕を日本語に切換えるようにしても良い。また、これらの言語は英語や日本語に限らず、他の言語でも良い。
【００３３】
【発明の効果】
以上のように本発明によれば、光ディスクに記録されている情報が映像と音声と字幕を含む編集情報であり、この編集情報における音声および字幕が第１言語である場合で、この編集情報を再生しているとき、再生戻し指令を受けたとき字幕の１フレーム分だけ再生位置を戻す制御を行う１フレーム戻し手段と、この１フレーム戻し手段の制御により戻された再生位置からの字幕１フレーム分の字幕を第２言語に切換えて表示させる制御を行う字幕言語切換手段と、前記戻された再生位置からの字幕１フレーム分の再生後に字幕を元の第１言語に戻す制御を行う字幕言語戻し手段とを有する字幕制御部を備えたので、ある再生画像における音声および／または字幕の言語の意味が理解できなかった場合、その画像まで戻して再生するとき、字幕に他の言語（前記言語の意味を示す言語）が表示でき、これにより、ユーザは、音声および／または字幕の言語の意味を理解することが可能になり、語学の習熟度を高めることができる。
【００３４】
また、本発明によれば、映像と音声と字幕を含む編集情報を再生しているときに、再生戻し指令を受けると、字幕の所定フレーム分だけ再生位置を戻し、このとき字幕の言語を他の言語に切換え、この切換えた他の言語の字幕の所定フレーム分を再生した後、字幕を元の言語に戻すという制御を行う字幕制御部を備えたので、ある再生画像における音声および／または字幕の言語が理解できなかった場合、その画像まで戻して再生するとき、字幕に他の言語（前記言語の意味を示す言語）が表示でき、これにより、ユーザは、音声および／または字幕の言語の意味を理解することが可能になり、語学の習熟度を高めることができる。
【図面の簡単な説明】
【図１】本発明の一実施形態に係る光ディスク再生装置の構成を示すブロック図である。
【図２】前記実施形態に用いられるＤＶＤに記録された編集情報を字幕１フレーム分再生する場合の概念的な説明図である。
【図３】本実施形態における編集情報の記録フォーマットの一例図である。
【図４】前記実施形態における字幕切換え処理を説明するためのフローチャートである。
【符号の説明】
１    ＤＶＤ（光ディスク）
２０    字幕制御部
２１    １フレーム戻し手段
２２    字幕言語切換手段
２３    字幕言語戻し手段
【図１】
2004320322.tif 000003
【図２】
2004320322.tif 000004
【図３】
2004320322.tif 000005
【図４】
2004320322.tif 000006